(57)【要約】【課題】半導体装置のトリミング精度を向上する。【解決手段】半導体装置１０において、トリミング値設定回路１１０は、トリミング対象回路１００の出力値ＯＵＴが狙い値と一致するようにトリミングテーブルＴＢＬ１を参照して設定された疑似トリミング値Ｓ１１を揮発的に格納するレジスタ１１１と、疑似トリミング値Ｓ１１に応じて得られたトリミング対象回路１００の出力値ＯＵＴが狙い値と一致するようにトリミング値補正テーブルＴＢＬ２を参照して疑似トリミング値Ｓ１１に補正を施すことで設定された最終トリミング値Ｓ１２を所定のトリミング処理によって不揮発的に格納するトリミング値格納部１１２と、疑似トリミング値Ｓ１１と最終トリミング値Ｓ１２の一方をトリミング値Ｓｔとして選択するセレクタ１１３と、を含む。【選択図】図２
2014016410.tif 000002
【特許請求の範囲】
【請求項１】
トリミング回路を用いてトリミング値に応じた出力調整を行うトリミング対象回路と、
前記トリミング値を設定するトリミング値設定回路と、
を有し、
前記トリミング値設定回路は、
前記トリミング対象回路の出力値が狙い値と一致するようにトリミングテーブルを参照して設定された疑似トリミング値を揮発的に格納するレジスタと、
前記疑似トリミング値に応じて得られた前記トリミング対象回路の出力値が前記狙い値と一致するようにトリミング値補正テーブルを参照して前記疑似トリミング値に補正を施すことで設定された最終トリミング値を所定のトリミング処理によって不揮発的に格納するトリミング値格納部と、
前記疑似トリミング値と前記最終トリミング値の一方を前記トリミング値として選択するセレクタと、
を含むことを特徴とする半導体装置。
【請求項２】
トリミング回路を用いてトリミング値に応じた出力調整を行うトリミング対象回路と、
前記トリミング値を設定するトリミング値設定回路と、
を有し、
前記トリミング値設定回路は、
初期トリミング値を揮発的に格納するレジスタと、
前記初期トリミング値に応じて得られた前記トリミング対象回路の出力値が狙い値と一致するようにトリミングテーブルを参照して設定された補正前トリミング値を所定のトリミング処理によって不揮発的に格納するトリミング値格納部と、
前記初期トリミング値と前記補正前トリミング値の一方を選択するセレクタと、
前記補正前トリミング値に応じて得られた前記トリミング対象回路の出力値が前記狙い値と一致するようにトリミング値補正テーブルを参照して前記補正前トリミング値に補正を施した上で前記トリミング値として出力するトリミング値補正部と、
を含むことを特徴とする半導体装置。
【請求項３】
トリミング回路を用いてトリミング値に応じた出力調整を行うトリミング対象回路と、
前記トリミング値を設定するトリミング値設定回路と、
を有し、
前記トリミング値設定回路は、
前記トリミング対象回路の出力値が狙い値と一致するようにトリミングテーブルを参照して設定された疑似トリミング値を揮発的に格納するレジスタと、
最終トリミング値を所定のトリミング処理によって不揮発的に格納するトリミング値格納部と、
前記疑似トリミング値と前記最終トリミング値の一方を前記トリミング値として選択するセレクタと、
前記疑似トリミング値に応じて得られた前記トリミング対象回路の出力値が前記狙い値と一致するようにトリミング値補正テーブルを参照して前記疑似トリミング値に補正を施すことにより前記最終トリミング値を設定するトリミング値補正部と、
を含むことを特徴とする半導体装置。
【請求項４】
前記トリミング値補正部は、前記トリミング値格納部の出力に応じてオン／オフが切り替えられることを特徴とする請求項２または請求項３に記載の半導体装置。
【請求項５】
前記セレクタは、前記トリミング値格納部の出力に応じて信号経路が切り替えられることを特徴とする請求項１〜請求項４のいずれか一項に記載の半導体装置。
【請求項６】
前記トリミング値補正テーブルのビット幅は、前記トリミングテーブルのビット幅よりも小さいことを特徴とする請求項１〜請求項５のいずれか一項に記載の半導体装置。
【請求項７】
前記トリミング処理は、ツェナーザップ法を用いたトリミング処理、ポリシリコンヒューズ法を用いたトリミング処理、レーザーカット法を用いたトリミング処理、または、ＯＴＰＲＯＭ［one time programmable read only memory］を用いたトリミング処理であることを特徴とする請求項１〜請求項６のいずれか一項に記載の半導体装置。
【請求項８】
クロック信号に同期してデジタル信号をラッチ出力するロジック部と、
前記クロック信号を生成するオシレータと、
前記デジタル信号をレベルシフトさせるシフトレジスタと、
基準電圧から複数の階調電圧を生成する階調電圧生成部と、
前記階調電圧を用いて前記デジタル信号からアナログ信号を生成するＤＡＣ［digital/analog converter］と、
前記アナログ信号を増幅して液晶表示パネルを形成する液晶画素への出力信号を生成するアンプと、
を有し、
前記オシレータ及び前記階調電圧生成部は、前記トリミング対象回路の一つであることを特徴とする請求項１〜請求項７のいずれか一項に記載の半導体装置。
【請求項９】
液晶画素を含む液晶表示パネルと、
前記液晶画素への出力信号を生成する請求項８に記載の半導体装置と、
を有することを特徴とする液晶表示装置。
【請求項１０】
請求項９に記載の液晶表示装置を有することを特徴とする電子機器。
【請求項１１】
前記電子機器は、テレビ、携帯電話、または、情報端末であることを特徴とする請求項１０に記載の電子機器。
【発明の詳細な説明】
【技術分野】
【０００１】
本発明は、トリミング回路を搭載した半導体装置、並び、これを用いた液晶表示装置及び電子機器に関する。
【背景技術】
【０００２】
スマートフォンを始めとする今日の携帯電話は、高精細化や高機能化が進んでおり、表示パネル駆動用ドライバＩＣに内蔵された各種回路の出力値（クロック周波数や階調電圧など）にも非常に高い精度が求められている。このため、出荷テスト時には、従来からトリミング手法を用いて上記出力値の高精度化を図ってきた。
【０００３】
より具体的に述べると、従来のトリミング手法では、（１）トリミング対象回路についてトリミング前の出力値を測定し、（２）測定結果からトリミングテーブルを参照してトリミング値を算出し、（３）実際にトリミングを行った後、（４）トリミング後の出力値を測定していた。このとき、トリミングテーブルは、予め用意した一意のテーブルを用いていた。
【０００４】
なお、上記に関連する従来技術の一例としては、特許文献１や特許文献２を挙げることができる。
【先行技術文献】
【特許文献】
【０００５】
【特許文献１】特開２００５−６３１４７号公報
【特許文献２】特開２００８−１４０９６０号公報
【発明の概要】
【発明が解決しようとする課題】
【０００６】
図１７は、理想的なトリミング結果を示す図である。トリミング対象回路に組み込まれるトリミング回路自体の製造ばらつき（トリミング回路を形成する容量、抵抗、スイッチなどの製造ばらつき）がなければ、先に述べた従来のトリミング手法を用いることによって、図１７で示すように、トリミング後の出力値を狙い値に合わせ込むことができる。
【０００７】
しかしながら、実際にはトリミング回路自体の製造ばらつきに起因して、トリミング後の出力値が狙い値から外れてしまう場合があった。
【０００８】
図１８は、トリミング回路自体の製造ばらつきに起因してトリミング後の出力値がばらつく様子を示す図である。図１８で示したように、トリミング前の出力値が同一のサンプルに同一のトリミング値を用いてトリミングを行った場合であっても、トリミング回路自体に製造ばらつきがあると、トリミング後の出力値が異なる値となってしまう。
【０００９】
従来のトリミング手法では、このようなトリミング回路自体の製造ばらつきが考慮されておらず、トリミング後の出力値がばらついても誤差範囲として許容されてきた。しかしながら、今日求められている高いトリミング精度を実現するためには、トリミング回路自体の製造ばらつきも無視することができなくなってきた。
【００１０】
本発明は、本願の発明者らにより見出された上記の問題点に鑑み、トリミング精度を向上することのできる半導体装置、並びに、これを用いた液晶表示装置及び電子機器を提供することを目的とする。
【課題を解決するための手段】
【００１１】
本発明に係る半導体装置は、トリミング回路を用いてトリミング値に応じた出力調整を行うトリミング対象回路と、前記トリミング値を設定するトリミング値設定回路と、を有し、前記トリミング値設定回路は、前記トリミング対象回路の出力値が狙い値と一致するようにトリミングテーブルを参照して設定された疑似トリミング値を揮発的に格納するレジスタと、前記疑似トリミング値に応じて得られた前記トリミング対象回路の出力値が前記狙い値と一致するようにトリミング値補正テーブルを参照して前記疑似トリミング値に補正を施すことで設定された最終トリミング値を所定のトリミング処理によって不揮発的に格納するトリミング値格納部と、前記疑似トリミング値と前記最終トリミング値の一方を前記トリミング値として選択するセレクタとを含む構成（第１の構成）とされている。
【００１２】
また、本発明に係る半導体装置は、トリミング回路を用いてトリミング値に応じた出力調整を行うトリミング対象回路と、前記トリミング値を設定するトリミング値設定回路を有し、前記トリミング値設定回路は、初期トリミング値を揮発的に格納するレジスタと、前記初期トリミング値に応じて得られた前記トリミング対象回路の出力値が狙い値と一致するようにトリミングテーブルを参照して設定された補正前トリミング値を所定のトリミング処理によって不揮発的に格納するトリミング値格納部と、前記初期トリミング値と前記補正前トリミング値の一方を選択するセレクタと、前記補正前トリミング値に応じて得られた前記トリミング対象回路の出力値が前記狙い値と一致するようにトリミング値補正テーブルを参照して前記補正前トリミング値に補正を施した上で前記トリミング値として出力するトリミング値補正部と、を含む構成（第２の構成）とされている。
【００１３】
また、本発明に係る半導体装置は、トリミング回路を用いてトリミング値に応じた出力調整を行うトリミング対象回路と、前記トリミング値を設定するトリミング値設定回路とを有し、前記トリミング値設定回路は、前記トリミング対象回路の出力値が狙い値と一致するようにトリミングテーブルを参照して設定された疑似トリミング値を揮発的に格納するレジスタと、最終トリミング値を所定のトリミング処理によって不揮発的に格納するトリミング値格納部と、前記疑似トリミング値と前記最終トリミング値の一方を前記トリミング値として選択するセレクタと、前記疑似トリミング値に応じて得られた前記トリミング対象回路の出力値が前記狙い値と一致するようにトリミング値補正テーブルを参照して前記疑似トリミング値に補正を施すことにより前記最終トリミング値を設定するトリミング値補正部と、を含む構成（第３の構成）とされている。
【００１４】
なお、上記第２または第３の構成から成る半導体装置において、前記トリミング値補正部は、前記トリミング値格納部の出力に応じてオン／オフが切り替えられる構成（第４の構成）にするとよい。
【００１５】
また、上記第１〜第４いずれかの構成から成る半導体装置において、前記セレクタは、前記トリミング値格納部の出力に応じて信号経路が切り替えられる構成（第５の構成）にするとよい。
【００１６】
また、上記第１〜第５いずれかの構成から成る半導体装置において、前記トリミング値補正テーブルのビット幅は、前記トリミングテーブルのビット幅よりも小さい構成（第６の構成）にするとよい。
【００１７】
また、上記第１〜第６いずれかの構成から成る半導体装置において、前記トリミング処理は、ツェナーザップ法を用いたトリミング処理、ポリシリコンヒューズ法を用いたトリミング処理、レーザーカット法を用いたトリミング処理、または、ＯＴＰＲＯＭ［one time programmable read only memory］を用いたトリミング処理である構成（第７の構成）にするとよい。
【００１８】
また、第１〜第７いずれかの構成から成る半導体装置は、クロック信号に同期してデジタル信号をラッチ出力するロジック部と、前記クロック信号を生成するオシレータと、前記デジタル信号をレベルシフトさせるシフトレジスタと、基準電圧から複数の階調電圧を生成する階調電圧生成部と、前記階調電圧を用いて前記デジタル信号からアナログ信号を生成するＤＡＣ［digital/analog converter］と、前記アナログ信号を増幅して液晶表示パネルを形成する液晶画素への出力信号を生成するアンプと、を有し、前記オシレータ及び前記階調電圧生成部は、前記トリミング対象回路の一つである構成（第８の構成）にするとよい。
【００１９】
また、本発明に係る液晶表示装置は、液晶画素を含む液晶表示パネルと、前記液晶画素への出力信号を生成する上記第８の構成から成る半導体装置と、を有する構成（第９の構成）とされている。
【００２０】
また、本発明に係る電子機器は、第９の構成から成る液晶表示装置を有する構成（第１０の構成）とされている。
【００２１】
なお、上記第１０の構成から成る電子機器は、テレビ、携帯電話、または、情報端末である構成（第１１の構成）にするとよい。
【発明の効果】
【００２２】
本発明によれば、トリミング精度を向上することのできる半導体装置、並びに、これを用いた液晶表示装置及び電子機器を提供することが可能となる。
【図面の簡単な説明】
【００２３】
【図１】液晶表示装置の一構成例を示すブロック図
【図２】トリミング値設定部の第１構成例を示すブロック図
【図３】第１のトリミング処理を示すフローチャート
【図４】トリミングテーブル及びトリミング値補正テーブルの一例を示す図
【図５Ａ】トリミング結果の第１例を示す図
【図５Ｂ】トリミング結果の第２例を示す図
【図６】トリミング前の出力値分布を示すヒストグラム
【図７】疑似トリミング後の出力値分布を示すヒストグラム
【図８】トリミング後の出力値分布を示すヒストグラム
【図９】トリミング値設定回路の第２構成例を示すブロック図
【図１０】第２のトリミング処理を示すフローチャート
【図１１】トリミング値設定回路の第３構成例を示すブロック図
【図１２】第３のトリミング処理を示すフローチャート
【図１３】液晶表示装置を搭載したテレビの一構成例を示すブロック図
【図１４Ａ】液晶表示装置を搭載したテレビの正面図
【図１４Ｂ】液晶表示装置を搭載したテレビの側面図
【図１４Ｃ】液晶表示装置を搭載したテレビの背面図
【図１５】スマートフォンの外観図
【図１６】タブレットＰＣの外観図
【図１７】理想的なトリミング結果を示す図
【図１８】トリミング後の出力値がばらつく様子を示す図
【発明を実施するための形態】
【００２４】
＜液晶表示装置＞
図１は、液晶表示装置の一構成例を示すブロック図である。本構成例の液晶表示装置１は、液晶駆動装置１０と、液晶表示パネル２０と、を有する。
【００２５】
液晶駆動装置１０は、映像ソース（不図示）から入力される映像信号Ｓ０に基づいて液晶表示パネル２０を駆動するモノリシック半導体集積回路装置（いわゆるＬＣＤ［liquid crystal display］ドライバＩＣ）であり、ロジック部１１と、オシレータ１２と、レベルシフタ１３と、階調電圧生成部１４と、ＤＡＣ１５と、ソースアンプ１６と、を含む。
【００２６】
ロジック部１１は、液晶駆動装置１０の外部と信号授受を行うためのインタフェイス部（例えば、ＭＩＰＩ［mobile industry processor interface］アライアンス準拠のＤＳＩ［display serial interface］）を備えており、外部入力される映像信号Ｓ０をｎビットパラレルのデータ信号Ｓ１としてレベルシフタ１３にラッチ出力するデジタル信号処理装置である。なお、ロジック部１１は、オシレータ１２から供給されるシステムクロック信号ＣＬＫに同期して動作する。
【００２７】
オシレータ１２は、一定周波数のシステムクロック信号ＣＬＫを生成してロジック部１１に供給する。
【００２８】
レベルシフタ１３は、ロジック部１１からラッチ出力されるデータ信号Ｓ１をＤＡＣ１５への入力に適した信号レベルにシフトさせる。
【００２９】
階調電圧生成部１４は、上側基準電圧ＶＨの印加端と下側基準電圧ＶＬの印加端との間に接続された抵抗ラダーを用いて、ｍ階調（ただしｍ＝２n）の離散的な階調電圧Ｖ１〜Ｖｍを生成する。
【００３０】
ＤＡＣ１５は、階調電圧Ｖ１〜Ｖｍを用いてデジタルのデータ信号Ｓ１からアナログの入力電圧Ｖｉを生成する。より具体的に述べると、ＤＡＣ１５は、データ信号Ｓ１のデジタル値（１０進数表記で０〜２n-1）に応じて階調電圧Ｖ１〜Ｖｍのいずれか一つを選択し、これを入力電圧Ｖｉとして出力する。
【００３１】
ソースアンプ１６は、入力電圧Ｖｉを増幅して液晶表示パネル２０への出力電圧Ｖｏを生成する。
【００３２】
液晶表示パネル２０は、液晶駆動装置１０によって駆動される液晶画素２１を含む映像出力手段である。液晶画素２１は、液晶駆動装置１０から印加される出力電圧Ｖｏの電圧値に応じてその光透過率が変化する。
【００３３】
なお、液晶表示パネル２０を形成するｘ列の液晶画素２１−１〜ｘに対して、各列毎にレベルシフタ１３−１〜ｘ、ＤＡＣ１５−１〜ｘ、及び、ソースアンプ１６−１〜ｘが設けられている。
【００３４】
＜トリミング値設定回路（第１構成例）＞
図２は、トリミング値設定回路の第１構成例を示すブロック図である。図２で示した液晶駆動装置１０は、トリミング対象回路１００と、第１構成例のトリミング値設定回路１１０と、を有する。
【００３５】
トリミング対象回路１００は、入力値ＩＮから出力値ＯＵＴを生成するメイン回路１０１と、トリミング値Ｓｔに応じてメイン回路１０１の出力調整を行うトリミング回路１０２と、を含む。
【００３６】
液晶駆動装置１０には、トリミング対象回路１００に求められる出力精度に応じて、４ビット、５ビット、６ビット、７ビット、１４ビットなど、様々なビット幅のトリミング回路１０２（容量、抵抗、ないしは、スイッチを含む）が組み込まれている。
【００３７】
なお、図１で示した種々の回路ブロックのうち、システムクロック信号ＣＬＫの高精度化が要求されるオシレータ１２や、階調電圧Ｖ１〜Ｖｍ（延いては上側基準電圧ＶＨ及び下側基準電圧ＶＬ）の高精度化が供給される階調電圧生成部１４は、特に高い出力精度が要求されるトリミング対象回路１００の一つとして挙げられる。
【００３８】
例えば、トリミング対象回路１００がオシレータ１２であると理解した場合、メイン回路１００の出力値ＯＵＴは、システムクロック信号ＣＬＫの発振周波数に相当することになる。また、トリミング対象回路１００が階調電圧生成部１４であると理解した場合、メイン回路１００の出力値ＯＵＴは、上側基準電圧ＶＨまたは下側基準電圧ＶＬの電圧値に相当することになる。
【００３９】
第１構成例のトリミング値設定回路１１０は、トリミング値Ｓｔを設定する回路ブロックであり、レジスタ１１１と、ＯＴＰＲＯＭ１１２と、セレクタ１１３と、を含む。
【００４０】
レジスタ１１１は、疑似トリミング値Ｓ１１を揮発的に格納する。疑似トリミング値Ｓ１１は、後述のトリミング処理に際して、トリミング対象回路１００の出力値ＯＵＴが狙い値と一致するように、トリミングテーブルＴＢＬ１を参照して設定される。トリミングテーブルＴＢＬ１は、液晶駆動装置１０の外部に設けられた試験装置（テスタ）２にソフトウェアとして実装されており、疑似トリミング値Ｓ１１の設定は、試験装置２によって実施される。
【００４１】
ＯＴＰＲＯＭ１１２は、最終トリミング値Ｓ１２を不揮発的に格納するトリミング値格納部である。最終トリミング値Ｓ１２は、後述のトリミング処理に際して、疑似トリミング値Ｓ１１に応じて得られたトリミング対象回路１００の出力値ＯＵＴが狙い値と一致するように、トリミング値補正テーブルＴＢＬ２を参照して疑似トリミング値Ｓ１１に補正を施すことにより設定される。トリミング値補正テーブルＴＢＬ２は、トリミングテーブルＴＢＬ１と同じく、試験装置２にソフトウェアとして実装されており、最終トリミング値Ｓ１２の設定（疑似トリミング値Ｓ１１の補正）も、試験装置２によって実施される。
【００４２】
セレクタ１１３は、疑似トリミング値Ｓ１１と最終トリミング値Ｓ１２の一方をトリミング値Ｓｔとして選択する。なお、セレクタ１１３は、ＯＴＰＲＯＭ１１２から読み出される切替信号Ｓ１３に応じて信号経路が切り替えられる。ＯＴＰＲＯＭ１１が未書き込みの場合、切替信号Ｓ１３は、レジスタ１１１側への信号経路切替を指示する値（初期値）となっており、書き込み済みのＯＴＰＲＯＭ１１２から読み出される切替信号Ｓ１３は、ＯＴＰＲＯＭ１１２側への信号経路切替を指示する値となっている。このような構成とすることにより、トリミング処理後（ＯＴＰＲＯＭ１１２へのデータ書き込み処理後）は、セレクタ１１３の信号経路をレジスタ１１１側からＯＴＰＲＯＭ１１２側へと自動的に切り替えることが可能となる。
【００４３】
図３は、第１のトリミング処理を示すフローチャートである。なお、本フローチャートを実施する主体は、基本的に試験装置２である。
【００４４】
フローが開始されると、まず、ステップ＃１０１では、出力値ＯＵＴのトリミング前測定が実施される。このトリミング前測定では、トリミング前（出力未調整）の出力値ＯＵＴが測定され、狙い値に対する出力値ＯＵＴの誤差ＥＲＲ１が判定される。
【００４５】
次に、ステップ＃１０２では、トリミング前の出力値ＯＵＴが狙い値と一致するようにトリミングテーブルＴＢＬ１を参照して疑似トリミング値Ｓ１１が設定される。トリミングテーブルＴＢＬ１では、図４の左側に示したように、狙い値に対する出力値ＯＵＴの誤差ＥＲＲ１と疑似トリミング値Ｓ１１が一義的に対応付けられている。なお、トリミングテーブルＴＢＬ１のビット幅Ｍは、トリミング対象回路１００に要求される出力精度を満足し得る値（例えば１４ビット）に設計されている。
【００４６】
誤差ＥＲＲ１がプラス値である場合（トリミング前の出力値ＯＵＴが狙い値よりも大きい場合）には、トリミング前の出力値ＯＵＴを引き下げるように疑似トリミング値Ｓ１１が設定される。例えば、誤差ＥＲＲ１が＋３０ステップ分である場合、疑似トリミング値Ｓ１１は、トリミング前の出力値ＯＵＴを３０ステップ分だけ引き下げる値（３０ｄｏｗｎ）に設定される。逆に、誤差ＥＲＲ１がマイナス値である場合（トリミング前の出力値ＯＵＴが狙い値よりも小さい場合）には、トリミング前の出力値ＯＵＴを引き上げるようにトリミング値が設定される。例えば、誤差ＥＲＲ１が−３０ステップ分である場合、疑似トリミング値Ｓ１１は、トリミング前の出力値ＯＵＴを３０ステップ分だけ引き上げる値（３０ｕｐ）に設定される。なお、誤差ＥＲＲ１がゼロ値である場合（出力値ＯＵＴが狙い値と一致している場合）には、出力調整を行わないように疑似トリミング値Ｓ１１がゼロ値に設定される。
【００４７】
次に、ステップ＃１０３では、レジスタ１１１を用いた疑似トリミング処理（レジスタ１１１への疑似トリミング値Ｓ１１の書き込み）が実施される。このとき、セレクタ１１３は、疑似トリミング値Ｓ１１をトリミング値Ｓｔとして選択する状態となっている。従って、トリミング回路１０２では、レジスタ１１１から読み出された疑似トリミング値Ｓ１１に応じてメイン回路１０１の出力調整が行われる。このように、レジスタ１１１を用いることにより、ＯＴＰＲＯＭ１１２を用いて実際のトリミング処理を実施する前に、トリミング回路１０２を疑似的にトリミング後の状態とすることが可能となる。
【００４８】
次に、ステップ＃１０４では、出力値ＯＵＴの疑似トリミング後測定が実施される。この疑似トリミング後測定では、疑似トリミング後の出力値ＯＵＴ（疑似トリミング値Ｓ１１に応じて得られる出力調整済みの出力値ＯＵＴ）が測定されて、狙い値に対する出力値ＯＵＴの誤差ＥＲＲ２が判定される。なお、疑似トリミング後測定での誤差ＥＲＲ２は、トリミング回路１０２自体の製造ばらつき（トリミング回路１０２を形成している容量、抵抗、スイッチなどの製造ばらつき）に起因して生じるものである。
【００４９】
次に、ステップ＃１０５では、疑似トリミング後の出力値ＯＵＴが狙い値と一致するように、トリミング値補正テーブルＴＢＬ２を参照して疑似トリミング値Ｓ１１に補正を施すことにより、最終トリミング値Ｓ１２が設定される。トリミング値補正テーブルＴＢＬ２では、図４の右側に示したように、狙い値に対する出力値ＯＵＴの誤差ＥＲＲ２とトリミング補正値Ｓ１１ａが一義的に対応付けられている。
【００５０】
誤差ＥＲＲ２がプラス値である場合（疑似トリミング後の出力値ＯＵＴが狙い値よりも大きい場合）には、疑似トリミング後の出力値ＯＵＴを引き下げるようにトリミング補正値Ｓ１１ａが設定される。例えば、誤差ＥＲＲ２が＋２ステップ分である場合、トリミング補正値Ｓ１１ａは、疑似トリミング後の出力値ＯＵＴを２ステップ分だけ引き下げる値（２ｄｏｗｎ）に設定される。逆に、誤差ＥＲＲ２がマイナス値である場合（疑似トリミング後の出力値ＯＵＴが狙い値よりも小さい場合）には、疑似トリミング後の出力値ＯＵＴを引き上げるようにトリミング補正値Ｓ１１ａが設定される。例えば、誤差ＥＲＲ２が−２ステップ分である場合、トリミング補正値Ｓ１１ａは、疑似トリミング後の出力値ＯＵＴを２ステップ分だけ引き上げる値（２ｕｐ）に設定される。なお、誤差ＥＲＲ２がゼロ値である場合（疑似トリミング後の出力値ＯＵＴが狙い値と一致している場合）には、疑似トリミング値Ｓ１１の補正を行わないようにトリミング補正値Ｓ１１ａがゼロ値に設定される。
【００５１】
最終トリミング値Ｓ１２は、疑似トリミング値Ｓ１１にトリミング補正値Ｓ１１ａを加味した値として設定される。従って、疑似トリミング後の出力値ＯＵＴが狙い値よりも大きい場合には、最終トリミング値Ｓ１２が疑似トリミング値Ｓ１１よりも小さい値に設定されることになり、逆に、疑似トリミング後の出力値ＯＵＴが狙い値よりも小さい場合には、最終トリミング値Ｓ１２が疑似トリミング値Ｓ１１よりも大きい値に設定されることになる。また、疑似トリミング後の出力値ＯＵＴが狙い値と一致している場合には、疑似トリミング値Ｓ１１がそのまま最終トリミング値Ｓ１２として設定されることになる。
【００５２】
なお、疑似トリミング後の誤差ＥＲＲ２は、トリミング前の誤差ＥＲＲ１よりも小さくなっているので、トリミング値補正テーブルＴＢＬ２のビット幅Ｎは、トリミングテーブルＴＢＬ１のビット幅Ｍよりも十分小さい値（例えば４ビット幅）に設計されている。従って、トリミングテーブルＴＢＬ１とは別に、トリミング値補正テーブルＴＢＬ２を実装しても、メモリ容量を不要に圧迫することはない。
【００５３】
次に、ステップ＃１０６では、ＯＴＰＲＯＭ１１２を用いたトリミング処理（ＯＴＰＲＯＭ１１２への最終トリミング値Ｓ１２の書き込み）が実施される。このとき、セレクタ１１３は、最終トリミング値Ｓ１２をトリミング値Ｓｔとして選択する状態へと自動的に切り替わる。従って、トリミング回路１０２では、ＯＴＰＲＯＭ１１２から読み出された最終トリミング値Ｓ１２に応じてメイン回路１０１の出力調整が行われる。
【００５４】
最後に、ステップ＃１０７では、出力値ＯＵＴのトリミング後測定が実施されて、一連のフローが完了する。
【００５５】
図５Ａ及び図５Ｂは、それぞれトリミング結果の第１例及び第２例を示す図である。いずれの例でもトリミング前の出力値ＯＵＴは同一であり、トリミング前測定の結果を踏まえてトリミングテーブルＴＢＬ１を参照した結果、疑似トリミング値Ｓ１１は、トリミング前の出力値ＯＵＴを３０ステップ分だけ引き上げる値（３０ｕｐ）に設定されている。
【００５６】
トリミング回路１０２自体の製造ばらつきがなければ、疑似トリミング後の出力値ＯＵＴはいずれも狙い値と一致するはずだが、実際にはトリミング回路１０２自体の製造ばらつきに起因して、図５Ａの第１例では、疑似トリミング後の出力値ＯＵＴが狙い値を２ステップ分だけ下回っており、逆に、図５Ｂの第２例では、疑似トリミング後の出力値ＯＵＴが狙い値を２ステップ分だけ上回っている。
【００５７】
このような疑似トリミング後測定の結果を踏まえてトリミング値補正テーブルＴＢＬ２を参照した結果、図５Ａの第１例では、トリミング補正値Ｓ１１ａが疑似トリミング後の出力値ＯＵＴを２ステップ分だけ引き上げる値（２ｕｐ）に設定されるので、最終トリミング値Ｓ１２は、トリミング前の出力値ＯＵＴを３２ステップ分だけ引き上げる値（３２ｕｐ）に設定される。一方、図５Ｂの第２例では、トリミング補正値Ｓ１１ａが疑似トリミング後の出力値ＯＵＴを２ステップ分だけ引き下げる値（２ｄｏｗｎ）に設定されるので、最終トリミング値Ｓ１２は、トリミング前の出力値ＯＵＴを２８ステップ分だけ引き上げる値（２８ｕｐ）に設定される。
【００５８】
図６、図７、及び、図８は、それぞれ、トリミング前、疑似トリミング後、及び、トリミング後の出力値分布を示すヒストグラムである。トリミング前のヒストグラム（図６）では、出力値ＯＵＴが出荷基準の上限値ないしは下限値を満たさないサンプルが存在するが、疑似トリミング後のヒストグラム（図７）では、全てのサンプルが出荷基準を満たしている。さらに、最終トリミング後のヒストグラム（図８）では、疑似トリミングのヒストグラム（図７）と比べて、出力値ＯＵＴがより狙い値（出荷基準の中央値）付近に収束しており、トリミング精度の向上を確認することができる。このように、トリミング精度が向上すれば、出力値ＯＵＴの安定化や生産性の安定化を実現することが可能となる。
【００５９】
＜トリミング値設定回路（第２構成例）＞
図９は、トリミング値設定回路の第２構成例を示すブロック図である。第２構成例のトリミング値設定回路１２０は、レジスタ１２１と、ＯＴＰＲＯＭ１２２と、セレクタ１２３と、トリミング値補正部１２４と、を含む。
【００６０】
レジスタ１２１は、初期トリミング値Ｓ２１を揮発的に格納する。初期トリミング値Ｓ２１としては、レジスタ１２１から読み出される初期値を用いてもよいし、或いは、試験装置２から書き込まれる任意値を用いてもよい。
【００６１】
ＯＴＰＲＯＭ１２２は、補正前トリミング値Ｓ２２を不揮発的に格納するトリミング値格納部である。補正前トリミング値Ｓ２２は、初期トリミング値Ｓ２１に応じて得られたトリミング対象回路１００の出力値ＯＵＴが狙い値と一致するように、トリミングテーブルＴＢＬ１を参照して設定される。トリミングテーブルＴＢＬ１は、試験装置にソフトウェアとして実装されており、補正前トリミング値Ｓ２２の設定は、試験装置２によって実施される。
【００６２】
セレクタ１２３は、初期トリミング値Ｓ２１と補正前トリミング値Ｓ２２の一方を選択トリミング値Ｓ２３として選択する。なお、セレクタ１２３は、ＯＴＰＲＯＭ１２２から読み出される切替信号Ｓ２４に応じて信号経路が切り替えられる。ＯＴＰＲＯＭ１２２が未書き込みの場合、切替信号Ｓ２４は、レジスタ１２１側への信号経路切替を指示する値（初期値）となっており、書き込み済みのＯＴＰＲＯＭ１２２から読み出される切替信号Ｓ２４は、ＯＴＰＲＯＭ１２２側への信号経路切替を指示する値となっている。このような構成とすることにより、トリミング処理後（ＯＴＰＲＯＭ１２２へのデータ書き込み処理後）は、セレクタ１２３の信号経路をレジスタ１２１側からＯＴＰＲＯＭ１２２側へと自動的に切り替えることが可能となる。
【００６３】
トリミング値補正部１２４は、補正前トリミング値Ｓ２２に応じて得られたトリミング対象回路１００の出力値ＯＵＴが狙い値と一致するように、トリミング値補正テーブルＴＢＬ２を参照して補正前トリミング値Ｓ２２に補正を施した上で、最終的なトリミング値Ｓｔとして出力する。なお、トリミング値補正部１２４は、ＯＴＰＲＯＭ１２２から読み出される切替信号Ｓ２４に応じてオン／オフが切り替えられる。ＯＴＰＲＯＭ１２２が未書き込みの場合、切替信号Ｓ２４は、トリミング値補正部１２４のオフを指示する値（初期値）となっており、書き込み済みのＯＴＰＲＯＭ１２２から読み出される切替信号Ｓ２４は、トリミング値補正部１２４のオンを指示する値となっている。このような構成とすることにより、トリミング処理後（ＯＴＰＲＯＭ１２２へのデータ書き込み処理後）は、トリミング値補正部１２４を自動的にオンすることが可能となる。
【００６４】
このように、第２構成例のトリミング値設定回路１２０では、トリミング値補正テーブルＴＢＬ２が液晶駆動装置１０にハードウェアとして実装されており、トリミング値Ｓｔの設定（補正前トリミング値Ｓ２２の補正）も、液晶駆動装置１０側で実施される。
【００６５】
図１０は、第２のトリミング処理を示すフローチャートである。なお、本フローチャートを実施する主体は、基本的に試験装置２であるが、補正前トリミング値Ｓ２２の補正処理（後述のステップ＃２０５〜＃２０７）については、液晶駆動装置１０（トリミング値補正部１２４）が主体となって実施される。
【００６６】
フローが開始されると、まず、ステップ＃２０１では、試験装置２が主体となって、出力値ＯＵＴのトリミング前測定が実施される。このトリミング前測定では、トリミング前（出力未調整）の出力値ＯＵＴが測定され、狙い値に対する出力値ＯＵＴの誤差ＥＲＲ１が判定される。
【００６７】
次に、ステップ＃２０２では、トリミング前の出力値ＯＵＴが狙い値と一致するようにトリミングテーブルＴＢＬ１を参照して補正前トリミング値Ｓ２２が設定される。なお、補正前トリミング値Ｓ２２の設定動作については、先の第１構成例で説明した疑似トリミング値Ｓ１１の設定動作と同様であり、重複した説明は割愛する。
【００６８】
次に、ステップ＃２０３では、試験装置２が主体となり、ＯＴＰＲＯＭ１１２を用いたトリミング処理（ＯＴＰＲＯＭ１２２に対する補正前トリミング値Ｓ２２の書き込み）が実施される。このとき、セレクタ１２３は、補正前トリミング値Ｓ２２を選択トリミング値Ｓ２３として選択する状態へと自動的に切り替わる。従って、トリミング回路１０２では、ＯＴＰＲＯＭ１２２から読み出された補正前トリミング値Ｓ２２に応じてメイン回路１０１の出力調整が行われる。
【００６９】
次に、ステップ＃２０４では、書き込み済みのＯＴＰＲＯＭ１２２から読み出される切替信号Ｓ２４に応じて、トリミング値補正部１２４が自動的にオンとなる。
【００７０】
次に、ステップ＃２０５では、トリミング値補正部１２４が主体となり、出力値ＯＵＴのトリミング値補正前測定が実施される。このトリミング値補正前測定では、トリミング後の出力値ＯＵＴ（補正前トリミング値Ｓ２２に応じて得られる出力調整済みの出力値ＯＵＴ）が測定されて、狙い値に対する出力値ＯＵＴの誤差ＥＲＲ２が判定される。なお、トリミング値補正前測定での誤差ＥＲＲ２は、トリミング回路１０２自体の製造ばらつきに起因して生じるものである。
【００７１】
次に、ステップ＃２０６では、トリミング値補正部１２４が主体となり、トリミング後の出力値ＯＵＴが狙い値と一致するように、トリミング値補正テーブルＴＢＬ２を参照してトリミング補正値Ｓ２２ａが設定される。なお、トリミング補正値Ｓ２２ａの設定動作については、先の第１構成例で説明したトリミング補正値Ｓ１１ａの設定動作と同様であり、重複した説明は割愛する。
【００７２】
次に、ステップ＃２０７では、トリミング値補正部１２４が主体となり、補正前トリミング値Ｓ２２に補正を施すことにより、補正前トリミング値Ｓ２２にトリミング補正値Ｓ２２ａを加味した値のトリミング値Ｓｔが設定される。従って、トリミング回路１０２では、補正済みのトリミング値Ｓｔに応じてメイン回路１０１の出力調整が行われる。
【００７３】
最後に、ステップ＃２０８では、試験装置２が主体となり、出力値ＯＵＴのトリミング後測定が実施されて、一連のフローが完了する。このとき、試験装置２から見れば、トリミングテーブルＴＢＬ１のみを参照して、従来通りのトリミング処理を実施しただけで、トリミング回路１０２自体の製造ばらつきに依存しない高精度なトリミング結果が得られたように見える。
【００７４】
＜トリミング値設定回路（第３構成例）＞
図１１は、トリミング値設定回路の第３構成例を示すブロック図である。第３構成例のトリミング値設定回路１３０は、レジスタ１３１と、ＯＴＰＲＯＭ１３２と、セレクタ１３３と、トリミング値補正部１３４と、を含む。
【００７５】
レジスタ１３１は、疑似トリミング値Ｓ３１を揮発的に格納する。疑似トリミング値Ｓ３１は、後述のトリミング処理に際して、トリミング対象回路１００の出力値ＯＵＴが狙い値と一致するように、トリミングテーブルＴＢＬ１を参照して設定される。トリミングテーブルＴＢＬ１は、試験装置２にソフトウェアとして実装されており、疑似トリミング値Ｓ３１の設定は、試験装置２によって実施される。
【００７６】
ＯＴＰＲＯＭ１３２は、最終トリミング値Ｓ３２を不揮発的に格納するトリミング値格納部である。最終トリミング値Ｓ３２は、後述のトリミング処理に際して、疑似トリミング値Ｓ３１に応じて得られたトリミング対象回路１００の出力値ＯＵＴが狙い値と一致するように、トリミング値補正テーブルＴＢＬ２を参照して疑似トリミング値Ｓ３１に補正を施すことにより設定される。
【００７７】
セレクタ１３３は、疑似トリミング値Ｓ３１と最終トリミング値Ｓ３２の一方をトリミング値Ｓｔとして選択する。なお、セレクタ１３３は、ＯＴＰＲＯＭ１３２から読み出される切替信号Ｓ３３に応じて信号経路が切り替えられる。ＯＴＰＲＯＭ１３２が未書き込みの場合、切替信号Ｓ３３は、レジスタ１３１側への信号経路切替を指示する値（初期値）となっており、書き込み済みのＯＴＰＲＯＭ１３２から読み出される切替信号Ｓ３３は、ＯＴＰＲＯＭ１３２側への信号経路切替を指示する値となっている。このような構成とすることにより、トリミング処理後（ＯＴＰＲＯＭ１３２へのデータ書き込み処理後）は、セレクタ１３３の信号経路をレジスタ１３１側からＯＴＰＲＯＭ１３２側へと自動的に切り替えることが可能となる。
【００７８】
トリミング値補正部１３４は、疑似トリミング値Ｓ３１に応じて得られたトリミング対象回路１００の出力値ＯＵＴが狙い値と一致するように、トリミング値補正テーブルＴＢＬ２を参照して疑似トリミング値Ｓ３１に補正を施すことにより、最終トリミング値Ｓ３２を設定してＯＴＰＲＯＭ１３２に書き込む。なお、トリミング値補正部１３４は、ＯＴＰＲＯＭ１３２から読み出される切替信号Ｓ３３に応じてオン／オフが切り替えられる。ＯＴＰＲＯＭ１３２が未書き込みの場合、切替信号Ｓ３３は、トリミング値補正部１３４のオンを指示する値（初期値）となっており、書き込み済みのＯＴＰＲＯＭ１３２から読み出される切替信号Ｓ３３は、トリミング値補正部１３４のオフを指示する値となっている。このような構成とすることにより、トリミング処理後（ＯＴＰＲＯＭ１３２へのデータ書き込み処理後）は、トリミング値補正部１３４を自動的にオフすることが可能となる。
【００７９】
このように、第３構成例のトリミング値設定回路１３０では、先の第２構成例と同様、トリミング値補正テーブルＴＢＬ２が液晶駆動装置１０にハードウェアとして実装されており、最終トリミング値Ｓ３２の設定（疑似トリミング値Ｓ３１の補正）も、液晶駆動装置１０側で実施される。
【００８０】
図１２は、第３のトリミング処理を示すフローチャートである。なお、本フローチャートを実施する主体は、基本的に試験装置２であるが、疑似トリミング値Ｓ３１の補正処理や最終トリミング値Ｓ３２の書き込み処理（後述のステップ＃３０４〜＃３０６）については、液晶駆動装置１０（トリミング値補正部１３４）が主体となって実施される。
【００８１】
フローが開始されると、まずステップ＃３０１では、試験装置２が主体となり、出力値ＯＵＴのトリミング前測定が実施される。このトリミング前測定では、トリミング前（出力未調整）の出力値ＯＵＴが測定され、狙い値に対する出力値ＯＵＴの誤差ＥＲＲ１が判定される。
【００８２】
次に、ステップ＃３０２では、試験装置２が主体となり、トリミング前の出力値ＯＵＴが狙い値と一致するように、トリミングテーブルＴＢＬ１を参照して疑似トリミング値Ｓ３１が設定される。疑似トリミング値Ｓ３１の設定動作については、先の第１構成例で説明した疑似トリミング値Ｓ１１の設定動作と同様であり、重複した説明は割愛する。
【００８３】
次に、ステップ＃３０３では、試験装置２が主体となって、レジスタ１３１を用いた疑似トリミング処理（レジスタ１３１への疑似トリミング値Ｓ３１の書き込み）が実施される。このとき、セレクタ１３３は、疑似トリミング値Ｓ３１をトリミング値Ｓｔとして選択する状態となっている。従って、トリミング回路１０２では、レジスタ１３１から読み出された疑似トリミング値Ｓ３１に応じてメイン回路１０１の出力調整が行われる。このように、レジスタ１３１を用いることにより、ＯＴＰＲＯＭ１３２を用いて実際のトリミング処理を実施する前に、トリミング回路１０２を疑似的にトリミング後の状態とすることが可能となる。
【００８４】
なお、トリミング対象回路１００を部分的またはその全部に対して未トリミング状態で出荷された液晶駆動装置１０に対して、ユーザが任意にトリミング処理（出力値のばらつき補正を目的とした狭義のトリミング処理だけでなく、出力値の任意設定を目的とした広義のトリミング処理も含む）を行う場合、ユーザがＯＴＰＲＯＭ１３２に書き込もうとするトリミング値は、ＯＴＰＲＯＭ１３２に対して直接書き込まれるのではなく、疑似トリミング値Ｓ３１としてレジスタ１３１に書き込まれることになる。
【００８５】
次に、ステップ＃３０４では、トリミング値補正部１３４が主体となり、出力値ＯＵＴの疑似トリミング後測定が実施される。この疑似トリミング後測定では、疑似トリミング後の出力値ＯＵＴ（疑似トリミング値Ｓ３１に応じて得られる出力調整済みの出力値ＯＵＴ）が測定されて、狙い値に対する出力値ＯＵＴの誤差ＥＲＲ２が判定される。疑似トリミング後測定での誤差ＥＲＲ２は、トリミング回路１０２自体の製造ばらつきに起因して生じるものである。なお、トリミング値補正部１３４は、試験装置２からレジスタ１３１に疑似トリミング値Ｓ３１が書き込まれたことを認識してから、上記の疑似トリミング後測定を開始する。
【００８６】
次に、ステップ＃３０５では、トリミング値補正部１３４が主体となり、疑似トリミング後の出力値ＯＵＴが狙い値と一致するように、トリミング値補正テーブルＴＢＬ２を参照して疑似トリミング値Ｓ３１に補正を施すことにより、最終トリミング値Ｓ３２が設定される。最終トリミング値Ｓ３２の設定動作（疑似トリミング値Ｓ３１の補正動作）については、先の第１構成例で説明した最終トリミング値Ｓ１１の設定動作（疑似トリミング値Ｓ１１の補正動作）と同様であり、重複した説明は割愛する。
【００８７】
次に、ステップ＃３０６では、トリミング値補正部１３４が主体となり、ＯＴＰＲＯＭ１３２を用いたトリミング処理（ＯＴＰＲＯＭ１３２への最終トリミング値Ｓ３２の書き込み）が実施される。このとき、セレクタ１３３は、最終トリミング値Ｓ３２をトリミング値Ｓｔとして選択する状態へと自動的に切り替わる。従って、トリミング回路１０２では、ＯＴＰＲＯＭ１３２から読み出された最終トリミング値Ｓ３２に応じてメイン回路１０１の出力調整が行われる。
【００８８】
次に、ステップ＃３０７では、書き込み済みのＯＴＰＲＯＭ１３２から読み出される切替信号Ｓ３３に応じて、トリミング値補正部１３４が自動的にオフとなる。
【００８９】
最後に、ステップ＃３０８では、試験装置２が主体となり、出力値ＯＵＴのトリミング後測定が実施されて、一連のフローが完了する。このとき、試験装置２から見れば、トリミングテーブルＴＢＬ１のみを参照して、従来通りのトリミング処理を実施するだけで、トリミング回路１０２自体の製造ばらつきに依存しない高精度なトリミング結果が得られたように見える。また、ユーザ側でトリミング処理を行う場合においても、ユーザのトリミング工程を変更することなく、高精細なトリミングを実現することができる。
【００９０】
＜電子機器への適用＞
［テレビ］
図１３は、液晶表示装置を搭載したテレビの一構成例を示すブロック図である。また、図１４Ａ〜図１４Ｃは、それぞれ、液晶表示装置を搭載したテレビの正面図、側面図、及び、背面図である。本構成例のテレビＸは、チューナ部Ｘ１と、デコーダ部Ｘ２と、表示部Ｘ３と、スピーカ部Ｘ４と、操作部Ｘ５と、インタフェイス部Ｘ６と、制御部Ｘ７と、電源部Ｘ８と、を有する。
【００９１】
チューナ部Ｘ１は、テレビＸに外部接続されるアンテナＸ０で受信された受信信号から所望チャンネルの放送信号を選局する。
【００９２】
デコーダ部Ｘ２は、チューナＸ１で選局された放送信号から映像信号と音声信号を生成する。また、デコーダ部Ｘ２は、インタフェイス部Ｘ６からの外部入力信号に基づいて、映像信号と音声信号を生成する機能も備えている。
【００９３】
表示部Ｘ３は、デコーダ部Ｘ２で生成された映像信号を映像として出力する。表示部Ｘ３としては、先述の液晶表示装置１を好適に用いることができる。
【００９４】
スピーカ部Ｘ４は、デコーダ部で生成された音声信号を音声として出力する。
【００９５】
操作部Ｘ５は、ユーザ操作を受け付けるヒューマンインタフェイスの一つである。操作部Ｘ５としては、ボタン、スイッチ、リモートコントローラなどを用いることができる。
【００９６】
インタフェイス部Ｘ６は、外部デバイス（光ディスクプレーヤやハードディスクドライブなど）から外部入力信号を受け付けるフロントエンドである。
【００９７】
制御部Ｘ７は、上記各部Ｘ１〜Ｘ６の動作を統括的に制御する。制御部Ｘ７としては、ＣＰＵ［central processing unit］などを用いることができる。
【００９８】
電源部Ｘ８は、上記各部Ｘ１〜Ｘ７に電力供給を行う。
【００９９】
［携帯電話］
図１５は、液晶表示装置を搭載した携帯電話（スマートフォン）の外観図である。本構成例の携帯電話Ｙは、本体の前面や背面に搭載される撮像部Ｙ１と、ユーザ操作を受け付ける操作部Ｙ２（各種ボタンなど）と、文字や映像（撮影画像を含む）を表示する表示部Ｙ３と、を有する。表示部Ｙ３としては、先述の液晶表示装置１を好適に用いることができる。表示部Ｙ３には、ユーザのタッチ操作を受け付けるためのタッチパネル機能が搭載されている。液晶表示装置１が搭載される携帯電話は、スマートフォンに限定されるものではなく、いわゆるベーシックフォンやフィーチャーフォンなども対象に含まれる。
【０１００】
［情報端末］
図１６は、液晶表示装置を搭載した情報端末（タブレットＰＣ）の外観図である。本構成例の情報端末Ｚは、本体の前面や背面に搭載される撮像部Ｚ１と、ユーザ操作を受け付ける操作部Ｚ２（各種ボタンなど）と、文字や映像（撮影画像を含む）を表示する表示部Ｚ３と、を有する。表示部Ｚ３としては、先述の液晶表示装置１を好適に用いることができる。表示部Ｚ３には、ユーザのタッチ操作を受け付けるためのタッチパネル機能が搭載されている。液晶表示装置１が搭載される情報端末は、タブレットＰＣに限定されるものではなく、ノートＰＣや携帯ゲーム機なども対象に含まれる。
【０１０１】
＜その他の変形例＞
なお、上記実施形態では、液晶表示パネルを駆動する液晶駆動装置に本発明を適用した構成を例に挙げて説明を行ったが、本発明の適用対象はこれに限定されるものではなく、トリミング回路を搭載した半導体装置全般に広く適用することが可能である。
【０１０２】
また、上記実施形態では、一度だけデータ書き込みが可能なＯＴＰＲＯＭを用いたトリミング処理を行う構成を例に挙げて説明を行ったが、トリミング処理の手法についてはこれに限定されるものではなく、高電圧によってトリミング素子を破壊するツェナーザップ法を用いたトリミング処理、大電流によってトリミング素子を焼き切るポリシリコンヒューズ法を用いたトリミング処理、或いは、レーザによってトリミング素子を焼き切るレーザーカット法を用いたトリミング処理など、いかなる手法を採用しても構わない。
【０１０３】
また、本明細書中に開示されている種々の技術的特徴は、上記実施形態のほか、その技術的創作の主旨を逸脱しない範囲で種々の変更を加えることが可能である。すなわち、上記実施形態は、全ての点で例示であって制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【０１０４】
本発明は、例えば、液晶表示パネルを駆動する液晶駆動装置の高精度化を実現するための技術として利用することが可能である。
【符号の説明】
【０１０５】
１    液晶表示装置
２    試験装置（テスタ）
１０    液晶駆動装置（ＬＣＤドライバＩＣ）
１１    ロジック部
１２    オシレータ
１３、１３−１〜１３−ｘ    レベルシフタ
１４    階調電圧生成部
１５、１５−１〜１５−ｘ    ＤＡＣ
１６、１６−１〜１６−ｘ    ソースアンプ
２０    液晶表示パネル
２１、２１−１〜２１−ｘ    液晶画素
１００    トリミング対象回路
１０１    メイン回路
１０２    トリミング回路
１１０、１２０、１３０    トリミング値設定回路
１１１、１２１、１３１    レジスタ
１１２、１２２、１３２    ＯＴＰＲＯＭ（トリミング値格納部）
１１３、１２３、１３３    セレクタ
１２４、１３４    トリミング値補正部
ＴＢＬ１    トリミングテーブル
ＴＢＬ２    トリミング値補正テーブル
Ｘ    テレビ
Ｘ０    アンテナ
Ｘ１    チューナ部
Ｘ２    デコーダ部
Ｘ３    表示部
Ｘ４    スピーカ部
Ｘ５    操作部
Ｘ６    インタフェイス部
Ｘ７    制御部
Ｘ８    電源部
Ｙ    携帯電話（スマートフォン）
Ｚ    情報端末（タブレットＰＣ）
Ｙ１、Ｚ１    撮像部
Ｙ２、Ｚ２    操作部
Ｙ３、Ｚ３    表示部
【図１】
2014016410.tif 000003
【図２】
2014016410.tif 000004
【図３】
2014016410.tif 000005
【図４】
2014016410.tif 000006
【図５Ａ】
2014016410.tif 000007
【図５Ｂ】
2014016410.tif 000008
【図６】
2014016410.tif 000009
【図７】
2014016410.tif 000010
【図８】
2014016410.tif 000011
【図９】
2014016410.tif 000012
【図１０】
2014016410.tif 000013
【図１１】
2014016410.tif 000014
【図１２】
2014016410.tif 000015
【図１３】
2014016410.tif 000016
【図１４Ａ】
2014016410.tif 000017
【図１４Ｂ】
2014016410.tif 000018
【図１４Ｃ】
2014016410.tif 000019
【図１５】
2014016410.tif 000020
【図１６】
2014016410.tif 000021
【図１７】
2014016410.tif 000022
【図１８】
2014016410.tif 000023